(57)【要約】多層画像、好ましくは多層カラー画像の形成のためのプロセスが記載される。紙基体に塗布され、レーザ照射によって処理される転写フィルムが用いられる。転写フィルムは、レーザ感光層（４）およびその下に配置される背景層（５）を有する。レーザ感光層（４）は、たとえばレーザ感受性顔料または他のレーザ感受性着色剤などのレーザ感光材料を具備する。層（４）におけるレーザ感光材料は、レーザ照射によって領域に関して脱色される。その結果、いわゆるレーザにより誘起される画像成分（１０）を生じる。それは透明または部分的に透明であるため、その下に配置され、印刷画像（５ｄ）を備えることができる背景層（５）は、その領域において上から可視にすることができる。したがって、それにより、レーザにより誘起される画像成分（１０）および背景層（５）を協働して形成される多層画像を与える。
2005530186.tif 000002
【特許請求の範囲】
【請求項１】
好ましくは紙材料を含む基体と、転写フィルム、特に箔押しフィルムまたはラミネートフィルムを用いて、その上に塗布される単層の層構造または多層の層構造とを具備する多層画像、特に多層カラー画像であって、
前記層構造が、レーザ感光材料を有し、かつ少なくとも１つのレーザにより誘起される画像成分（１０）の形成と共にレーザの作用によって少なくとも領域に関して変化される層（４、４０）を有し、前記層は以下ではレーザ感光層と呼ばれ、前記多層画像または該多層画像の少なくとも一部が前記レーザにより誘起される画像成分（１０）および背景層（５、５０）および／または前景層から形成されることと、
前記レーザにより誘起される画像成分（１０）が、前記背景層と少なくとも部分的に重なる関係に配置されるか、または前記前景層と少なくとも部分的に重なる関係に配置されるため、前記背景層（５，５０）または前記レーザにより誘起される画像成分（１０）がそれぞれ、領域に関する限り、上から見ることができるか、および／または多少半透明で見ることができることを特徴とする多層画像。
【請求項２】
前記背景層が、好ましくは前記背景層の形態である前記基体表面によって、前記基体の成分の形態であることを特徴とする、請求項１記載の多層画像。
【請求項３】
複数のレーザ感光層が、互いに重なる関係に配置される種々のレーザ感光材料を含むことが好ましいことを特徴とする、請求項１または２記載の多層画像。
【請求項４】
中間層を形成する背景層が、互いに重なるレーザ感光層の間に配置されることを特徴とする、請求項３記載の多層画像。
【請求項５】
前記背景層が、好ましくは前記レーザにより誘起される画像成分の下の領域に限り、前記レーザ感光層の下に配置されることを特徴とする、請求項１〜４のいずれか１項記載の多層画像。
【請求項６】
前記背景層が、レーザにより誘起される画像成分の形成のために用いられるレーザ放射に関して反射性であり、および／またはレーザ放射の非反射成分に関して非透明または実質的に非透明および／または吸収性である背景層の形態であることを特徴とする、請求項１〜５のいずれか１項記載の多層画像。
【請求項７】
前記背景層が、可視スペクトル領域の光に関して透明であり、および／または特に所与の波長範囲に限る所与のレーザ条件のみのレーザ放射に関して透明または非透明であり、レーザにより誘起される画像成分を形成するために用いられるレーザ放射に関して透明または非透明であることが好ましいことを特徴とする、請求項１〜６のいずれか１項記載の多層画像。
【請求項８】
前記レーザにより誘起される画像成分（１０）が、異なる色を有し、および／または前記レーザにより誘起される画像成分（１０）および前記背景層（５、５０）または前景層が着色されるか、および／または光学構造に関して異なることを特徴とする、請求項１〜７のいずれか１項記載の多層画像。
【請求項９】
前記レーザにより誘起される画像成分（１０）が、無色透明または色の陰影のついた透明であるマーキングの形態またはグレースケールにおいて陰影のついた透明であることが好ましい黒色のマーキングの形態または非透明のカラーおよび／または黒色および／またはグレースケールを用いたマーキングの形態であることを特徴とする、請求項１〜８のいずれか１項記載の多層画像。
【請求項１０】
別のレーザにより誘起される画像成分またはレーザによって処理されないか、または非レーザ感受領域である前記レーザ感光層の領域が、前記レーザにより誘起される画像成分（１０）の近くの隣接する関係に配置され、同一のレーザ感光層において同成分に隣接することが好ましいことを特徴とする請求項１〜９のいずれか１項記載の多層画像であって、
前記隣接領域が無色透明または色の陰影のついた透明または非透明であるように形成されることが好ましい、多層画像。
【請求項１１】
前記背景層および／または前記前景層に形成される画像成分が、前記レーザにより誘起される画像成分（１０）の近くの隣接する関係に形成され、同成分に隣接することが好ましいことを特徴とする、請求項１〜１０のいずれか１項記載の多層画像。
【請求項１２】
前記レーザにより誘起される画像成分が、前記背景層または前記前景層の中および／または前記背景層または前記前景層によって形成される関連画像成分と正確に合った関係で配置されることを特徴とする、請求項１〜１１のいずれか１項記載の多層画像。
【請求項１３】
前記レーザにより誘起される画像成分が、無色または色の陰影のついた透明であり、それに関連し、好ましくは前記背景層または前記前景層においてその下またはその上に配置される層に配置される画像成分が、前記層の平面に垂直な方向において、それに対して側方向にずれた関係または整列した関係に配置されることを特徴とする、請求項１〜１２のいずれか１項記載の多層画像。
【請求項１４】
別のレーザにより誘起される画像成分および／または前記背景層および／または前記前景層によって形成される画像成分と組み合わせることが好ましい前記レーザにより誘起される画像成分が、カラーマーキングおよび／またはグラフィックおよび／または組み紐飾り模様および／またはスクリプト画像および／またはマイクロスクリプトの形態であることを特徴とする、請求項１〜１３のいずれか１項記載の多層画像。
【請求項１５】
前記レーザ感光材料が、好ましくは材料に特定のレーザ条件下で、レーザにより誘起される脱色またはレーザにより誘起される色変化および／またはレーザにより誘起される黒化および／またはレーザにより誘起される材料除去によって、レーザの作用によって変更することができる材料の形態であり、前記レーザにより誘起される画像成分が、レーザにより誘起される脱色またはレーザにより誘起される色変換またはレーザにより誘起される炭化またはレーザにより誘起される材料除去によってそれぞれ形成されることを特徴とする、請求項１〜１４のいずれか１項記載の多層画像。
【請求項１６】
前記レーザ感光材料が、種々のレーザ感受成分の混合物の形態であることを特徴とする、請求項１〜１５のいずれか１項記載の多層画像。
【請求項１７】
前記混合物が、２種類および好ましくは３種類の異なる着色剤成分、好ましくは顔料成分から構成され、前記２種類の成分または３種類の成分のそれぞれ、好ましくは前記混合物の各成分が、前記成分に特定の個別のレーザ条件下でレーザによって脱色可能であることと、および／または前記混合物が２色、好ましくは３色の異なる色形成成分、好ましくは色形成着色剤から構成され、前記成分のそれぞれおよび好ましくは前記混合物の各成分が、前記成分に特定の個別のレーザ条件下で、レーザによって色が可変となることを特徴とする、請求項１６記載の多層画像。
【請求項１８】
２種類および好ましくは３種類の成分のそれぞれに関して、ある成分に特定のレーザ条件下で他の成分が脱色可能でないか、または実質的に脱色可能でないか、または色が変化しないことを適用することを特徴とする、請求項１７記載の多層画像。
【請求項１９】
前記レーザ感光材料がシアン色着色剤、好ましくはシアン色顔料および／またはマゼンタ色着色剤、好ましくはマゼンタ色顔料、および／または黄色着色剤、好ましくは黄色顔料であることを特徴とする、請求項１〜１８のいずれか１項記載の多層画像。
【請求項２０】
前記レーザにより誘起される画像成分の位置および／または前記レーザ感光層の位置で、前記レーザにより誘起される画像成分または前記レーザ感光層の各位置でそれぞれ少なくとも領域的な様態であることが好ましく、前記色が、成分または複数の異なる成分の着色剤混合物、好ましくは前記着色剤混合物の種々の全成分によって形成され、混合物において当該位置で、好ましくは互いに重なる関係および／または互いに並列する関係に配置され、その点において、当該位置における前記色が好ましくは減色的混合によって形成されることを特徴とする、請求項１〜１９のいずれか１項記載の多層画像。
【請求項２１】
前記背景層（５、５０）および好ましくは前記レーザ感光層以外の残る他の層が、前記レーザにより誘起される画像成分を形成するためのレーザの作用下で、前記背景層（５、５０）が変化しないようになっていることを特徴とする、請求項１〜２０のいずれか１項記載の多層画像。
【請求項２２】
前記背景層および／または前記前景層および／または前記レーザ感光層が、少なくとも領域的な様態で特に明るい層、たとえば白色塗料層の形態である反射構造および／または金属層および／または塗料層を有することを特徴とする、請求項１〜２１のいずれか１項記載の多層画像。
【請求項２３】
前記背景層（５、５０）および／または前記前景層および／または前記レーザ感光層（４、４０）が、少なくとも領域的な様態で特に金属において、または金属層に関して、たとえば、回折格子、ホログラムなどの回折構造および／またはホログラム構造（５ｂ、５０ｂ）を有することを特徴とする、請求項１〜２２のいずれか１項記載の多層画像。
【請求項２４】
前記背景層および／または前記前景層が、少なくとも領域的な様態で印刷（５ｄ）を有することを特徴とする、請求項１〜２３のいずれか１項記載の多層画像。
【請求項２５】
前記背景層が、紫外光によって蛍光を発する識別表示要素および／またはセキュリティ用の線および／または透かしを有することが好ましいことを特徴とする、請求項１〜２４のいずれか１項記載の多層画像。
【請求項２６】
前記背景層が、その範囲にわたる異なる領域に、異なる色および／または異なる構造であることが好ましい反射構造および／または回折構造および／またはホログラム構造および／または印刷を有することが好ましく、または前記背景層（５、５０）がその範囲にわたって一定の一体構造をなしていることを特徴とする、請求項１〜２５のいずれか１項記載の多層画像。
【請求項２７】
前記多層画像が、好ましくは色空間全体からの色を有するフルカラー画像の形態であることを特徴とする、請求項１〜２６のいずれか１項記載の多層画像。
【発明の詳細な説明】
【技術分野】
【０００１】
本発明は、転写フィルム、好ましくは箔押しフィルムまたはラミネートフィルムを用いて、紙材料およびその上に塗布される単層の層構造または多層の層構造を含む基体の多層画像、特に多層カラー画像に関する。
【発明の開示】
【発明が解決しようとする課題】
【０００２】
本発明の目的は、転写フィルム、好ましくは箔押しフィルムまたはラミネートフィルムを用いて、紙材料を含むことが好ましい基体上に多層画像、特に多層カラー画像を形成することにある。本発明は、多層画像が偽造に関して高度の保護手段を有するように形成されることを目指している。本発明はまた、特にさまざまな異なる色または種々の光学的効果に関して、光学的に特に魅力的である構造を提供することができることを目指している。
【課題を解決するための手段】
【０００３】
本発明は、請求項１記載の多層画像に関してそのような目的を達成する。
【０００４】
したがって、層構造に形成される多層画像は、レーザにより誘起される画像成分および背景層から構成され、レーザにより誘起される画像成分が複数の色を有し、および／またはレーザにより誘起される画像成分および背景層が色および／または光学的構造に関して互いに異なる。レーザにより誘起される画像成分は、レーザ感光層の領域であり、レーザ作用によって変化する。したがって、レーザ感光層のそのような変化する領域は、いわゆるレーザにより誘起される画像成分を形成する。レーザにより誘起される画像成分はその下に配置される背景層に少なくとも部分的に重なるように配置されるため、背景層は領域的な様態で上からのみ可視であるか、および／または多少半透明で可視である。レーザ感光層領域のレーザ処理、すなわちレーザにより誘起される画像成分の形成とは、レーザにより誘起される画像成分によって覆われていない背景層の領域を形成することができるため、可視にすることができることを意味する。そのようにして、背景層は領域的な様態で露光されることができることから、上から可視である。
【０００５】
したがって、レーザにより誘起される画像成分は、無色透明または色の陰影のついた透明または非透明のマーキングの形態であってもよい。レーザにより誘起される画像成分の付近に隣接する関係、好ましくは同レーザにより誘起される画像成分に隣接する関係において、同レーザ感光層に配置される別のレーザにより誘起される画像成分またはレーザ感光層のレーザによって処理されない領域またはレーザ感受性でない領域があるように形成される構造の場合には、光学的な観点から特に興味深く、魅力的であり、可能であれば複雑な画像を得ることができる。この場合には、そのような隣接する領域は、無色透明または非透明または色の陰影のついた透明であってもよい。隣接する領域は、さまざまな色を含むことができる。各画像成分は、個々の一体の同種のレーザにより誘起されるマーキングの形態であってもよいが、隣り合って配置される複数の異なるレーザにより誘起されるマーキングを含んでもよい。
【０００６】
背景層に形成される画像成分がレーザにより誘起される画像成分の付近に隣接する関係、好ましくは同レーザにより誘起される画像成分に接触する関係に形成されるように形成される構造では、特に興味深く、魅力的な光学的効果が得られる。
【０００７】
レーザにより誘起される画像成分が背景層に形成されるか、背景層によって形成される関連画像成分と正確に合った関係に配置される構造によって、偽造に関する高度の保護手段が実現される。複数のレーザにより誘起される画像成分が重なって正確に合った関係に配置されるような構成に形成されることが好ましく、その結果、多層画像は互いに正確に合った関係に配置されるそのような多くの画像成分から構成される。
【０００８】
特定の光学的効果はまた、レーザにより誘起される画像成分が無色透明または色の陰影のついた透明性であるように形成され、その下に配置される層にそれに関連する画像成分が側面に沿って配置されるか、または層の平面に対して垂直な方向にそれに関して一直線をなすように配置される構造によって得られる。そのような基礎を成す層は、たとえば限定領域に配置されることが好ましい回折構造を有する反射層の形態の背景層を含んでもよい。
【０００９】
レーザにより誘起される画像成分がカラーマーキングの形態および／またはグラフィックの形態および／または文字列の形態である種々の構造が可能である。レーザにより誘起される画像形成の場合の重要な利点は、きわめて高度の位置精度でレーザにより誘起される画像成分を形成することができ、きわめて高度の位置精度によってレーザビームのきわめて高度の解像度を導くことができ、その際、きわめて小さい寸法のマーキングを形成することができることである。したがって、レーザにより誘起される画像成分はまた、たとえばマイクロスクリプトまたは組み紐飾り模様を形成してもよく、その部分またはそれぞれの個別の位置を形成してもよい。
【００１０】
レーザにより誘起される画像成分を形成するために、レーザ感光材料は、レーザにより誘起される脱色および／またはレーザにより誘起される色変化および／またはレーザにより誘起される材料除去として知られるようなレーザの作用によって変更することができる材料の形態であるように形成されることができる。材料におけるそのような変化は、好ましくは材料およびそれぞれの所望の効果に関して特定のレーザ条件の下で、レーザ処理によって引き起こされる。好ましくはレーザ波長および／またはレーザ強度などの異なるレーザ変数によるレーザの種々の設定によるレーザの作用によって、異なる色が形成されることが好ましい。レーザ感光材料は、着色剤、好ましくは種々の着色剤の混合物であってもよい。顔料を着色剤とみなすことができる。顔料は、不溶性の着色剤であることが好ましく、特に無機物質である。別法または追加として、レーザ感光材料として他の着色剤、たとえば可溶性有機着色剤を用いることも可能である。
【００１１】
特に簡素な方法で、特に多数の異なる色のマーキングを有することが可能であるような構造の場合には、レーザ感光層の少なくとも領域は、その物質組成に関して、少なくとも３つの異なる顔料成分から構成される顔料混合物を有するように形成され、顔料成分にそれぞれ特定のレーザ条件の下で、それぞれの顔料成分がレーザによって脱色可能であり、３つの顔料成分のそれぞれに関して、顔料成分に特定のレーザ条件の下で、他の顔料成分が脱色されないか、または実質的に脱色されないことが当てはまる。フルカラー画像を形成する特に効果的かつ簡単な方法は、レーザにより誘起される画像成分の形成が手順によって実行され、第１のステップにおいて、顔料成分中の１成分に特定のレーザ条件の下で、レーザ感光層の位置へのレーザ照射によって顔料成分の１つのみが脱色され、第２のステップにおいて、顔料成分中の別の１成分に特定のレーザ条件の下で、レーザ感光層の同一位置へのレーザ照射によって上記の別の顔料成分のみが脱色されるようにすることである。顔料混合物を含むレーザ感光層によって、任意の色のレーザにより誘起される画像成分を得ることができることが好ましく、顔料成分中の１成分がシアン色顔料であり、別の顔料成分がマゼンタ色顔料であり、さらなる顔料成分が黄色顔料である。シアン色顔料が赤色レーザ光によって脱色可能な顔料の形態であり、マゼンタ色顔料が緑色レーザ光によって脱色可能な顔料の形態であり、黄色顔料が青色レーザ光によって脱色可能な顔料の形態である場合には、特に有利であることが分かっている。
【００１２】
また、顔料または他のいわゆる着色剤または系が用いられ、適切なレーザ放射による照射を受けて、たとえば透明からカラーに、または色１から色２にそれらの色を変化させる構造も提供される。
【００１３】
その開始点が、背景層がレーザの作用の下でレーザ感受性である材料を含まない層構造である場合には、特に簡素なプロセスであってもかまわない。しかし、背景層もまたレーザ感光材料である層構造を用いて実行するプロセスも可能である。層構造が唯一のレーザ感光層および唯一の非レーザ感光層を有する場合には、特に簡素な作業手順であってもかまわない。非レーザ感受性の背景層は、プロセス中にそれぞれ適用されるレーザ条件の下で、背景層に変化を生じないことを意味する。
【００１４】
好ましい構造において、レーザ感光層の下、好ましくはレーザにより誘起される画像成分の下の領域のみに配置される背景層が、レーザにより誘起される画像成分の形成に用いられるレーザ放射を反射する背景層および／または非透明または実質的に非透明である背景層および／またはレーザ放射、特にレーザ放射の非反射成分に関して吸収性である背景層の形態であるように形成される。特に画像成分がカラーマーキング、すなわちカラー画像成分である場合には、そのような背景層は、一方ではレーザにより誘起される画像成分用の光沢剤として作用することができる。その反射度が可視スペクトル領域にわたって実質的には一定の大きさである場合には、実質的に白い背景層が得られる。さらに、光沢剤またはカラーブースタとしての効果をさらにいっそう増大させるために、特殊な顔料、特に白色顔料を背景層に組み込むことも可能である。レーザ処理において作用するレーザ放射の非反射成分に関して、背景層の反射および非透明度によって、これは、基礎を成す層がレーザ照射手順における損傷または別の望ましくないレーザにより誘起される変化を被らないようにする。したがって、その意味で、背景層は、基礎を成す層用の保護層として作用する。背景層の透明度の別法または追加として、レーザ放射の上述の非反射成分に関して吸収性であってもよい。具体的な実施形態において、そのような反射性および／または非透明性および／または吸収性の背景層がその上に配置されるレーザ感光層において形成されるレーザにより誘起される画像成分の下の領域のみに配置される場合には、有用である可能性がある。そのように、たとえば、レーザにより誘起される画像成分との協働によって、特定の光学的効果を実現するために、背景層をそのような領域の外側に自由に設計することも可能である。したがって、外側である背景層のそのような領域において、レーザにより誘起される別の画像成分を形成するために、レーザ感光材料を配置することも可能である。
【００１５】
層構造に複数のレーザ感光層がある場合には、特に複雑な画像構造が可能である。少なくとも領域的な様態でそれらの間に配置される背景層によって互いから離隔されることができることが有利である。少なくとも領域的な様態で、背景層が反射構造を有し、および／または反射層の形態、好ましくは金属層の形態で、たとえば白色塗料層などの特に明るい層を有する場合には、特に興味深くて魅力的な光学的効果が生じる。背景層はまた、領域的な様態で回折構造を有してもよく、特に金属層において、たとえば、回折格子、ホログラム、キネグラムなどを備えていてもよい。追加または別法として、背景層は、少なくとも領域的な様態でその上に印刷を有してもよい。背景層がその範囲に関して異なる領域、たとえば異なる色および／または異なる構造を有する場合には、魅力的な付加効果が実現される。特に簡素に形成される実施形態の場合には、背景層がその範囲にわたって一定の均一な性質であるように形成される。
【００１６】
レーザ感光層が可視スペクトル領域において透明性である領域において、レーザの作用によってレーザ感光層の上に形成されるレーザにより誘起される画像成分は、背景層の前の陽画像の形態であってもよい。あるいは、レーザにより誘起される画像成分はまた、レーザ感光層が被覆層の形態である領域において、レーザ感光層においてレーザの作用によってレーザにより誘起される脱色によって、完全に透明または部分的に透明に構成されるレーザ感光層によって形成されてもよく、その結果、レーザ感受被覆層によって既に覆われた背景層は、その領域において可視になっている。
【００１７】
レーザ感光層が部分的に透明の形態である領域において、レーザ感光層におけるレーザの作用の限りにおいて、好ましくは色の陰影のついた層が形成され、レーザにより誘起される画像成分が背景層の前に好ましくは部分的に透明な形で際立って見えるようになされる。
【００１８】
レーザにより誘起される画像成分がマイクロスクリプトの形態である場合には、偽造に関して特に高度の保護手段を備えた実施形態が得られる。高度の偽造防止保護手段はまた、基本的には高度の重ね合せ精度で動作するレーザによって実現される。特に画像処理によって、背景層に関する構造変数の検出、好ましくは印刷画像または回折画像の検出および／またはレーザ感光層またはレーザにより誘起される画像成分に関する構造変数の検出によってレーザを制御することができる。その点において、好ましくは位置、レーザビームの入射方向、レーザ波長、レーザが作用する周期、パルスの数および／またはレーザ強度を制御することができる。
【００１９】
好ましい実施形態において、特に多層画像が転写フィルムまたは箔押しフィルムまたはラミネートフィルムに形成される場合には、レーザ処理において、さらに具体的に言えば、好ましくは選択的な脱色または選択的な色変化によってのみ、レーザ感光層のみが変化するように形成されることが好ましい。可能であれば保護層、たとえば１層以上の上部保護層などが存在するさらなる層は依然として変化せず、言い換えれば、そのような層は、レーザ照射手順における損傷を伴わないことが有利である。反射層を有する実施形態の場合には、反射層は、レーザビームの適切な誘導によって、その中を通過することができ、可能であればその下に配置されるレーザ感光層に作用することができることが好ましい。レーザ感光層またはレーザにより誘起されるマーキングが回折構造および／またはホログラム構造および／または反射層の下に配置される場合には、特に高度の偽造防止保護手段が実現される。フィルムによって被覆される多層本体または基体に面する方向において考えると、レーザにより誘起されるマーキングがその重ね合わされる構造または層に直に隣接するように配置される場合には、具体的な利点がある。
【００２０】
「反射層または反射領域」なる語は、高い光反射率および／または高い屈折率を有する層または領域を指すために用いられる。これは、たとえばアルミニウム、クロム、銀、硫化亜鉛、酸化チタンなどの金属または金属化合物から形成されることができる層または領域を含むが、たとえば、ゲルマニウム化合物、ケイ素化合物などの他の材料の組成もまた可能である。これは、平坦な領域、好ましくは蒸着層または領域を含んでもよい。そのような層またはそれらの領域は、連続的な相互連結性であってもよく、または互いに離隔される領域の形態であってもよい。反射特性がたとえば金属顔料などの適切な粒子によって実現される実施形態もまた、可能である。
【００２１】
一例として好ましい実施形態は、添付図面に関して以下にさらに詳細に説明される。
【発明を実施するための最良の形態】
【００２２】
以下、本発明による多層画像および多層カラー画像を形成することができる層構造における箔押しフィルムおよびラミネートフィルムについて説明するために、最初に図１〜図１０を参照する。問題の多層画像を形成するために、フィルム、すなわちレーザ感光層が処理されるレーザ処理における基本的なプロセスステップについて説明するために、それらの図も参照する。箔押しフィルムの代わりに、他の転写フィルムを用いることも可能であり、その点において、記載されるプロセスは、対応する方法で多層画像および多層カラー画像を形成するために用いられる。
【００２３】
ここで、最初に図に示された種々のフィルムは、層構造および個別の層の材料組成に関して説明される。
【００２４】
図１〜図５に示されるフィルムは、箔押しフィルムである。図１の箔押しフィルムは、キャリアフィルム１、剥離層２、保護層３、レーザ感光層４、背景層５および接着層６を具備している。
【００２５】
キャリアフィルム１は、厚さ６〜１００μｍ、好ましくは厚さ１９〜３８μｍのポリエステルフィルムが好ましい。層２〜６は、キャリアフィルム１に重ね合わせられた関係で配置される。箔押しフィルムの形成における本質的に周知のプロセスを用いて、これらの層は塗布される。
【００２６】
剥離層２は、分離層である。熱の作用を受けると柔らかくなり、箔押しフィルムが基体に塗布されると、キャリアフィルム１から他の層を剥離することができる層の形態であることが好ましい。剥離層２は一般に、厚さが最大でも１μｍである。
【００２７】
保護層３は、保護塗料層の形態である。これは透明塗料層を含み、その目的は、箔押しフィルムによって装飾された物品の自由表面を機械的損傷および化学的影響から実質的に保護するためである。層の厚さは、１〜２μｍであることが好ましい。
【００２８】
レーザ感光層４は、いわゆる第１の色塗料層の形態である。これは３〜１０μｍであることが好ましい厚さの塗料層を含み、顔料によって着色され、および／または他の着色系または着色剤が施されている。この色塗料層の顔料または他の着色系または着色剤は、その波長が可視範囲にあることが好ましいレーザビームによって、選択的に脱色させることができ、および／または別の色に変化させることができる。塗料層４の顔料濃度は固体に対して３〜１５％であることが好ましい。その塗料層４の結合剤系は、レーザの作用によって光学的に変化しなくてもよいため、照射位置で、表面構造に認知できるほどの損傷を与えることなく、カラーコントラストマーキングを生じるだけに過ぎない。変形実施形態において、レーザ感光層４は、唯一の脱色可能な顔料または唯一の脱色可能な他の着色剤を有し、その顔料または着色剤は、それぞれ唯一の顔料または着色剤またはそれ以外の他の顔料または着色剤として提供される。カラーマーキングは、そのような構造でレーザ照射によって形成されることができる。対応する考慮事項を、変形実施形態に適用し、脱色可能な顔料または脱色可能な他の着色剤の代わりに、レーザ処理によってレーザ感受性の色変化を有する顔料または着色剤が用いられる。
【００２９】
背景層５は、いわゆる第２の色塗料層の形態である。この層は、レーザ感光層４とは色が異なる。レーザ感光層４が黒色または灰色である場合には、層５はたとえば白色または象牙色である。層５は、レーザ放射によってレーザ感光層４に形成される色に関して、主に色バックアップ層として作用する。層５の厚さは、１５〜２０μｍであることが好ましい。
【００３０】
背景層５は、レーザ感光層４と同様に、箔押しフィルムの表面領域全体に設けられるのではないため、表面全体を同一の彩色に装飾されることはない場合もありうる。逆に言えば、層４および層５は、個別に、すなわち異なるように、異なる色の領域で構成されてもよい。
【００３１】
接着層６は、転写フィルムまたは箔押しフィルムに対して本質的に一般的で周知である接着層を含み、厚さ約１〜１０μｍである。箔押しフィルムの接着層は、対応する熱の作用を受けたときのみ粘着性となるような組成である。
【００３２】
層２〜６は、以下の組成に基づいて形成されることができる。
【表１】
2005530186.tif 000003
【表２】
2005530186.tif 000004
【表３】
2005530186.tif 000005
【表４】
2005530186.tif 000006
【表５】
2005530186.tif 000007
【００３３】
転写フィルム、ここでは特定の場合には箔押しフィルムは、従来の様態で、さらに具体的に言えば、接着層６が基体表面に面するように基体に塗布されることが好ましい。次に、箔押し動作において、接着層６は、基体の表面に接着剤を形成する。続いて、キャリアフィルム１が箔押し動作において熱の影響を受けて剥離層２を軟化させた後、剥離される。そのように基体の表面に塗布された箔押しフィルムによって、保護層３は、基体から隔てられる箔押しフィルムの上面を形成する。
【００３４】
図２〜４に示される箔押しフィルムは、図１に示されるフィルムとは異なる性質である背景層を有する。図２に示される例において、背景層は、反射層５ｒの形態である。特殊な場合には、反射層は、金属反射層の形態である。反射層は、所与のスペクトル領域的な様態で透明または部分的に透明であってもよい。反射層は他の層より高い屈折率を有するため、光の反射を増大させる。図３に示される例は、好ましくは透明である別の塗料層として層５ｃを有する。また、領域的な様態で回折構造５ｂを有する反射層５ｒもある。図３の実施形態において、そのような構造５ｂは、塗料層５ｃおよび接着層６のほか、介在層からなる構成要素の形態である。別法または追加として、塗料層５ｃまたはレーザ感受色塗料層４からなる構成要素として回折構造を設けることもできる。この場合には、回折構造は領域状の性質であってもよいが、連続層の形態であってもよい。
【００３５】
図４に示される例において、印刷画像５ｄが規定領域における背景層５ｃに配置され、規定されるレーザ感受領域４ａがレーザ感光層において画像に対して側方向にずれた関係で配置される。
【００３６】
図５は、変形した層構造を備えた箔押しフィルムを示している。層構造は図３の層構造と類似であるが、この場合には層の順序が変形され、さらに具体的に言えばレーザ感光層４が基体に面する反射層５ｒの側に配置されるようになっている。
【００３７】
層は、図５ａのフィルムにおいて以下の順序、すなわちキャリア層１、剥離層２、保護層３、レーザ感光層４、反射層５ｒ、接着層６ｒ、レーザ感光層４、別の塗料層７および接着層６に配置される。反射層５ｒの両側に設けられるレーザ感光層４は同一であってもよい。すなわち、次に反射層は、レーザ感受性の層全体に配置される。しかし、レーザ感光層は、異なっていてもよい。回折構造５ｂは、レーザ感光層４および反射層５ｒの互いに隣接する領域に設けられる。あるいは、構造５ｂはまた、ホログラム構造の形態であってもよい。この実施形態において、強化された偽造防止保護手段は、同一であっても異なっていてもよい２つのレーザ感光層が回折構造またはホログラム構造にそれぞれ隣接することはかまわない。その場合には、オプションである塗料層７は、透明層の形態または明るいバックアップ層の形態である。あるいは、塗料層７および接着層６はまた、省略されてもよく、図５ａにおいて反射層５ｒの下に示される第２のレーザ感光層４はレーザ感受接着層の形態であってもよい。
【００３８】
図５ｂのフィルムの場合には、層は以下の順序、すなわちキャリア層１、剥離層２、レーザ感光層４、別の塗料層５ｃ、反射層５ｒおよび接着層６で存在する。層５ｃおよび層６は同一材料であってもよく、異なる材料であってもよい。この実施形態において、レーザ感光層４は、適切な同等の顔料を含む限り、レーザ感受性である保護塗料層である。回折構造は、別の塗料層５ｃ、反射層５ｒおよび接着層６の互いに隣接領域に形成される。回折構造は、回折格子の形態であってもよい。あるいは、構造５ｂはまた、ホログラム構造の形態であってもよい。
【００３９】
転写フィルム、本件の場合には箔押しフィルムが基体に塗布された後、レーザ感光層４に透明マーキングおよび／またはカラーマーキングを形成するために、レーザ処理が行われる。レーザ感光層４の所与の位置に所与のカラーマーキングを形成するために、当該位置がレーザ放射によって照射される。
【００４０】
図５に示されるフィルムのレーザ処理の場合には、回折構造５ｂを含む反射層５ｒを通してレーザ照射が行われる。レーザビームは、上からフィルムの平面に対して垂直に向けられることが好ましい。反射層５ｒは、特に垂直に向けられるときには、レーザ放射に関して透過性である。残る領域において、反射層５ｒを形成する層の格子またはホログラム構造５ｂは、レーザ放射に対して透過性であるが、これに関連して、放射はまた、部分的に回折構造で多少反射されてもよい。依然として回折構造５ｂの内部およびその下の残る領域において、反射層５ｒを形成する層の下に配置されるレーザ感光層４は、色の変化が所与の位置で脱色によって生じる限りにおいて、レーザの作用によって変化させられる。
【００４１】
個々のレーザ感光層において図示された実施形態において生じるような脱色動作については、以下に説明される。
【００４２】
脱色手順において、当該位置が所与の顔料成分が脱色される所与のレーザ波長によって照射される限りにおいて、第１のステップにおいて青色または緑色または赤色のマーキングが形成される。青色を形成するために、黄色顔料成分を脱色しなければならない。そのために、青色レーザ光が用いられる。脱色動作には、所与の最小強度が必要とされる。さらに、一定のパルス持続時間を超えてはならない。
【００４３】
第１のステップにおいて緑色のマーキングを得るために、マゼンタ色顔料成分を脱色しなければならない。そのために、緑色レーザ光が用いられる。第１のステップにおいて赤色のマーキングを得るために、シアン色顔料成分を脱色しなければならない。そのために、赤色レーザ光が用いられる。
【００４４】
当該位置にシアン色またはマゼンタ色または黄色のマーキングを形成するために、第２のステップにおいて当該位置にレーザ処理が施され、さらに具体的に言えば当該位置でまだ脱色されない顔料成分中の１成分が脱色されるレーザ波長を用いて行われる。第１のステップにおいて青色のマーキングが形成された場合には、当該位置でシアン色顔料成分およびマゼンタ色顔料成分が脱色されていない。当該位置でシアン色を形成するためには、この第２のステップにおいてマゼンタ色顔料成分を脱色しなければならない。それは、緑色レーザ光を用いて行われる。したがって、それは、当該位置にシアン色のマーキングを生じる。
【００４５】
その第２のステップにおいて、シアン色のマーキングの代わりにマゼンタ色のマーキングを得ることになっている場合には、第１のステップにおいて形成される青色のマーキングは、赤色レーザ光を用いて処理されなければならない。その結果、当該位置でシアン色顔料が脱色されることになるため、マゼンタ色顔料が当該位置で脱色されないで残る。したがって、当該位置にマゼンタ色のマーキングを生じる。
【００４６】
対応する様態において、第１のステップにおいて形成され、そこに残っていた脱色されていないシアン色顔料および黄色顔料によって形成される緑色のマーキングから、シアン色のマーキングまたは黄色のマーキングを形成してもよい。その動作は、さらに具体的に言えば、それぞれ青色レーザ光および赤色レーザ光を用いた処理によって実行される。
【００４７】
対応する様態において、第１のステップにおいて形成されたシアン色のマーキングは、第２のステップにおいて、さらに具体的に言えば、それぞれ緑色レーザ光および青色レーザ光を用いた第２のステップのレーザ処理によって、黄色またはマゼンタ色のマーキングに変換されることができる。
【００４８】
第１のステップおよび第２のステップにおいて処理される位置に、透明位置、すなわち白色位置を形成するために、背景層５が白色である場合には、第２のステップ後、当該位置で脱色されないで残っている顔料成分が脱色されるようにその波長が設定されたレーザビームを用いて、第３のステップにおいて当該位置を処理しなければならない。すなわち、青色光を用いて黄色のマーキングを脱色し、緑色光を用いてマゼンタ色のマーキングを脱色し、赤色レーザ光を用いてシアン色のマーキングを脱色しなければならない。
【００４９】
同様の様態において、次に、箔押しフィルムの層４にカラーマーキングをさらに形成するために、レーザ感光層４においてさらに隣接する位置が処理される。そのようにして、フルカラー画像を形成することができる。
【００５０】
また、色変化によってレーザ感光層に着色剤でカラーマーキングまたはフルカラー画像を形成するために、レーザ処理を用いることもできる。連続プロセスステップによる対応する様態において、レーザ処理を行うことができる。顔料は、着色剤、すなわち色付与物質と見なされるようになる。顔料は、主に不溶性であり、一般に無機物質を含む。しかし、主に可溶性で、有機の着色剤は、着色剤と見なされる。したがって、レーザ処理の個別のステップで適用される特定のレーザ条件の下で、それぞれの場合において色変化が生じる。
【００５１】
レーザ感光材料が唯一または２種類の着色剤成分を含む場合には、対応する様態において記載された脱色および色変化プロセスも用いられることができる。レーザ処理における他の着色剤成分および他のレーザ条件、特にレーザ波長範囲を用いることも可能である。
【００５２】
あるいは、カラーマーキングを形成するための転写フィルムまたは箔押しフィルムのレーザ処理はまた、フィルムの塗布前に行われることができる。さらに具体的に言えば、特に保護層３がレーザ放射に対して透明でない層または所与の波長範囲におけるレーザ放射に対して透明でない層の形態である場合には、別の紫外吸収保護層が設けられる。次に、手順によるフィルムの塗布前にレーザ処理が行われ、レーザビームがフィルムの後側、すなわち背景層５の上に向けられ、したがって、レーザ感光層４が同様の様態でその中にカラーマーキングを形成するための他方の側から処理される。背景層５および接着層６は、そのような使用に対して問題のレーザ放射に関して透明または少なくとも部分的に透明である。
【００５３】
対応する様態において、カラーマーキングはまた、ラミネートフィルムに形成されることができる。そのようなラミネートフィルムは、図６〜図１０に示される。図６におけるラミネートフィルムは、いわゆるオーバレイフィルム３０、任意の中間層３１、レーザ感光層４０、背景層を形成し、任意でもある中間層５０および接着層６０を備える。積層動作において、ラミネートフィルムは、基体の表面に対して接着層６０を用いて基体に塗布される。基体の表面の接着剤は、接着層６０によって形成される。次に、オーバレイフィルム３０は上部保護層を形成し、基体から離隔されるその面がフィルムの外面を形成する。したがって、オーバレイフィルム３０は、ラミネートフィルムの塗布後、そこに塗布されたままである。オーバレイフィルム３０は、図１の箔押しフィルムの保護層３に対応する。レーザ感光層４０はレーザ感光層４、すなわち図１の箔押しフィルムの第１の塗料層４に対応する。中間層５０は背景層５、すなわち図１の箔押しフィルムの第２の塗料層５に対応する。接着層６０は、図１の箔押しフィルムの接着層６に対応する。図７および図８のラミネートフィルムは、図６のラミネートフィルムの変形を示しており、対応する様態において、背景層が図２および図３の箔押しフィルムの背景層に変形される。
【００５４】
図９のラミネートフィルムは、図６〜図８に関して変形される一連の互いに重ねられる層を備えた層構造を含む。層の順序は、図５の箔押しフィルムの構造に対応する。この場合には、層７０は任意の背景層である。
【００５５】
図９ａは図９の実施形態に比較して変形される実施形態を示しており、層の順序は図５ａの箔押しフィルムの構造に対応する。
【００５６】
図１０のラミネートフィルムは、図９のラミネートフィルムの変形を示している。この実施形態において、オーバレイフィルム３０は、その上に塗布される箔押しフィルムを備える。当該位置に塗布されるそのような箔押しフィルムは、図９のラミネートフィルムに設けられる層３１、５０および５０ｒ、４０、７０および６０を箔押しフィルムの対応する層によって置換する。そのようなラミネートフィルムの形成に用いられる箔押しフィルムの場合には、図５の箔押しフィルムとは異なり、反射層５ｒおよびレーザ感光層４が逆の順序で配置されるため、図１０のラミネートフィルムの場合には、今度は図９のラミネートフィルムの対応する様態において、反射層５ｒが基体から離隔されるレーザ感光層４の側に配置される。他の図示された実施形態と同様の様態において、図１０のラミネートフィルムの回折構造５ｂはまた、層４および層５の互いに隣接する領域に設けられる。この構成では、塗料層５は、透明層の形態である。
【００５７】
図１０ａのラミネートフィルムは、図１０のラミネートフィルムと類似の構造である。しかし、図１０ａの実施形態において、オーバレイフィルム３０は、その上に塗布される箔押しフィルムを備え、図５ａの実施形態の箔押しフィルムと類似の構造である。オーバレイフィルム３０に塗布されるそのような箔押しフィルムは、図９ａのラミネートフィルムに設けられる層３１、４０、５０、５０ｒ、４０、７０および６０を箔押しフィルムの対応する層によって置換する。図１０ａのラミネートフィルムは、以下の順序で一連の層、オーバレイフィルム３０、接着層６、任意の塗料層５、レーザ感光層４、反射層５ｒ、レーザ感光層４、別の塗料層５ｃおよび保護層３を含む。反射層５ｒの両側にあるレーザ感光層４は同一であってもよい。すなわち、反射層５ｒは、そのようなレーザ感光層全体に配置される。しかし、レーザ感光層４はまた、異なっていてもよい。その場合には、塗料層５は、透明層または明るいバックアップ層の形態である。
【００５８】
図１０ｂのラミネートフィルムは、箔押しフィルムがまたオーバレイフィルム３０に塗布される実施形態を示している。そのような塗布された箔押しフィルムは、図５のフィルムと類似の構造である。そのようなフィルムは、図９ａのラミネートフィルムにそれぞれ設けられる層３１、４０、５０および５０ｒ、４０、７０および６０を箔押しフィルムの層によって置換する。図１０ｂのラミネートフィルムは、以下の順序の一連の層、すなわち、オーバレイフィルム３０、接着層６、任意の塗料層７、レーザ感光層４、反射層５ｒ、別の塗料層５ｃおよび保護層３を有する。
【００５９】
ラミネートフィルムのレーザ処理は、対応する様態において、転写フィルムに記載された処理で、すなわちレーザ感光層４０に含まれる着色剤、すなわち顔料成分または他のレーザ感受性着色剤の適切な連続脱色またはレーザ感受による色変化によって実現される。
【００６０】
今度は、図１〜図１０に示されるような種々のフィルムを用いて、記載されたレーザ処理によって形成することができる多層画像に関する図１１〜図３０に示される実施形態について以下に記載する。図示される多層画像はそれぞれ、レーザ感光層に形成されるレーザにより誘起される画像成分およびその上に配置される背景層または前景層によって形成される画像成分から構成される。形成される多層画像の一例によって種々の実施形態を示す図１１〜図３０は、それぞれきわめて図式的な形態の断面図を含む限りにおいて、上部フィルム層構成または下部フィルム層構成のレーザ感光層４と、それぞれ上部フィルム層構成または下部フィルム層構成の下または上にそれぞれ配置される背景層５を示している。線図はそれぞれ、それぞれ上部フィルム層構成または下部フィルム層構成からなる唯一のレーザ感光層４と、それぞれ上部フィルム層構成または下部フィルム層構成からなる唯一の背景層５を示している。そのようなフィルム層構成における任意の別の層およびその間に配置される任意の層のほか、その上およびその下に配置される層および可能な別のフィルム層構成は、簡単のために示されていない。反射層は、レーザ感光層の上または下に直に配置されることが好ましい。
【００６１】
図１１ａ〜図１１ｄの第１の実施形態は、レーザ感光材料が限定された領域４ａの層４におけるフィルム層構成に示されているフィルムに基づいている。領域４ａは、レーザ処理前の状態を示す図８ａおよび図８ｂの平面図の矩形態の領域である。変形実施形態において、レーザ感光材料はまた、全領域にわたって設けられてもよく、フィルム構成のより広い領域にわたって設けられてもよい。図示された実施形態において、背景層５は、レーザ感受領域４ａの下のフィルム層構成に配置される印刷画像５ｄを有する。レーザ感受領域４ａは、印刷画像５ｄの上を覆う。レーザ感光層は完全な光学的被覆層または多少完全な光学的被覆層の形態であるため、その下に配置される印刷画像５ｄは、レーザ処理前には上から見ることができないか、多少半透明で見ることができるに過ぎない。レーザ感光材料は、黒色または灰色であることが好ましく、いずれの場合でも特に暗く、多少色を隠すことが必要である。フィルムのレーザ処理によって、図１１ａおよび図１１ｂに図示されているよう状態から始まり、レーザ照射手順は、図１１の矢印の方向に上から行われ、マーキング、すなわち図１１ｃおよび図１１ｄの例ではＡの形態の透明マーキングが、レーザ感光層、すなわち領域４ａにレーザにより誘起される脱色またはレーザにより誘起される色変化によって形成される。基礎を成す印刷画像５ｄは、マーキングの領域におけるそのマーキングを通して自由に見ることができるか、または多少半透明で見ることができる。したがって、それにより、印刷５ｄの色または構造および層４ａのマーキング領域の透明度または陰影度に応じて、任意の色またはカラー構造を含みうるマーキングを形成する。いずれの場合でも、これは、レーザにより誘起される画像成分および背景層によって形成される画像成分から組み合わせられる画像を生じる。図８に示される実施形態において、レーザにより誘起される画像成分は、レーザ感光層４ａのレーザ処理によって多少透明である領域１０と、領域１０の周囲に配置される非レーザ処理被覆領域を含む陰画像である。他の画像成分は、レーザ感光層における変化によって露出される背景層の領域、すなわち印刷画像５ｄの露出領域である背景層の領域によって形成される。
【００６２】
図１２に示される実施形態は、対応する様態において形成される画像である。図１１ａ〜図１１ｄの実施形態に対する唯一の違いは、図１２では、背景層に形成される印刷画像５ｄが、色パターンを含むことから、色パターンを有するマーキングがレーザ処理領域を通して見えうことができることである。
【００６３】
図１３ａ〜図１３ｄに示される第３の実施形態はまた、図１１および図１２に示される実施形態に対応する様態に形成および構成される。図１１ａ〜図１１ｄの実施形態に対する唯一の違いは、印刷画像５ｄの代わりに、背景層が回折パターン５ｂを有することである。回折パターン５ｂは、適切な表面構造を備えた金属層に形成されることができるか、および／または塗料層に形成され、金属層によって裏打ちされることができる。図１３ａ〜図１３ｄの実施形態は、マーキング１０の領域において、可視である回折パターン５ｂによって、特に魅力的な光学的効果を有する。それにより、回折構造がレーザにより誘起される画像成分の領域にのみ可視であることから、個性のある回折パターンを生じることができる。変形実施形態において、レーザ感受領域４ａおよび回折パターン５ｂは、互いにずれた関係に配置されてもよい。すなわち図１３ａ〜図１３ｄの実施形態のような上下に整列した関係に配置されなくてもよい。そのような実施形態が、図１４ａ〜図１４ｄに示されている。背景層５ｃおよび５０はそれぞれ、限定された領域５ｂおよび全体領域に回折パターンを有し、反射層の形態であるか、または反射層を有する。回折パターン５ｂを有する領域は、レーザ感受領域４ａの下に整列して配置されないが、フィルムの平面に対して垂直に見た方向において側方向にずれた関係に配置される。レーザ感受領域４ａの下に整列した関係では、反射層は、回折パターン５ｂではなく、金属的な艶消しの領域または金属的な光沢のある領域を備える。種々のマーキング１０は、レーザ感受領域４ａにおいてレーザによって、さらに具体的に言えば、レーザにより誘起される脱色またはレーザにより誘起される色変化によって形成される。それによって、問題のレーザ処理領域１０は多少透明になる。回折構造の側方向にずれた構成によって、それぞれの見る角度に応じて、マーキング１０の領域において、異なる効果、特に異なる色構造を実現することが可能である。したがって、特殊な暗号効果を形成することが可能である。
【００６４】
図１１〜図１４に示される記載された実施形態において、レーザ処理におけるレーザビームを適切に誘導することによって、任意の所望の構造の簡素な様態にレーザマーキング１０を形成することができる。たとえば、所与の個別のスクリプトストロークおよびキャラクタも含む文字、すなわち任意の構造およびサイズのスクリプトまたは文字列を形成することが可能である。しかし、マーキングはまた、任意のグラフィック形状の形態であってもよい。マーキングのさまざまな領域に、異なるレーザ条件を用いることによって、異なる位置でさまざまな脱色程度を有するマーキングまたは多層カラーマーキングを形成することができる。
【００６５】
さらに、たとえば当選番号がフィルムの形成時に背景層５に印刷され、レーザ感光層を備えたフィルム構成がその上に塗布されている限りにおいて、図１１〜図１４に対応する実施形態は、抽選用フィルムとして可能である。あるいは、フィルムが塗布される基体上に当選番号を印刷することもできる。すなわち特定のレーザ条件を伴う適切なレーザ装置を用いて、レーザ感光層を脱色することができ、当選番号を見ることができるようになっている。
【００６６】
図１５ａ〜図１５ｄに示される実施形態において、図１５ａおよび図１５ｂで導入される基本的な開始点は、図１２〜図１４の上述の実施形態における層構造にも対応する層構造である。しかし、図１５ａ〜図１５ｄの実施形態において、それらの図に対する違いとして、マーキングを包囲する外側領域が、レーザ感光層４ａにおけるレーザ処理に曝される。領域は、脱色または色変化によって透明または部分的に透明になる。したがって、この実施形態において、図１５ｃおよび図１５ｄに示されているように、形成される画像は、レーザ感光層に残っている未処理の残る領域１０ｒ、すなわち図１５ｃおよび図１５ｄでは文字「Ａ」の形態である領域と、残るレーザ感受領域１０の脱色によって透明であり、それを通して印刷画像５ｄを見ることができる外側領域と、から構成される。
【００６７】
図１６ａ〜図１６ｄの実施形態において、マーキングは、図１５ａ〜図１５ｄの実施形態に記載されているものと類似の様態に形成される。この場合には、レーザ感光層４ａは、たとえば緑色の被覆層の形態である。異なるカラーマーキング１０ｘ、１０ｙ、１０ｚが、異なるレーザ波長で選択的な脱色によって形成される。緑色レーザ感光層は、黄色に向かう赤色スペクトル領域におけるレーザ光を用いた照射によって、青色に向かう青色スペクトル領域におけるレーザ光を用いた照射によって変更される。両方の波長の連続適用または同時適用によって、外側領域１０は完全に脱色され、すなわち透明領域の形態になる。図示された実施形態において、形成される画像は、線構造１０ｚによってアンダーラインが引かれた名前成分１０ｘおよび名前成分１０ｙを含む名前の文字列である。第１の単語「Ｐｅｔｅｒ」は、青色文字列として上述のプロセスによって形成されることができ、第２の単語、この場合には「Ｍｕｅｌｌｅｒ」は黄色文字列として、線構造は緑色の線として形成されることができる。そのようなマーキングの周囲に配置される領域１０は完全に脱色され、そのような領域において、背景層に配置される回折パターン５ｂまたは任意の印刷などが見える。
【００６８】
図１７ａ〜図１７ｄの実施形態は、レーザ感光層４が基体に面する回折構造５ｂの側に配置される点で、図１６ａ〜図１６ｄの実施形態に対する変形であるため、回折構造がレーザにより誘起されるマーキング１０の上に嵌め込まれる。それにより、そこに設けられたレーザにより誘起されるマーキングを有するレーザ感光層が、回折構造５ｂに直に隣接するか、または回折構造自体の一部である場合には、偽造に対する強化されたレベルの保護手段を生じる。
【００６９】
図１８ａ〜図１８ｄに示される実施形態において、図１８ａ〜図１８ｄで導入される基本的な開始点は、半透明な緑色である。選択的な脱色または選択的な色変換によって、図１８ｃおよび図１８ｄに示される透かし状の画像を形成することができる。この画像は、半透明な色の線構造、さらに具体的に言えば半透明な青色の線１０ｘおよび半透明な黄色の線１０ｙを含む。問題の線は、個別に設定されるマイクロスクリプト１０ｘｓ、１０ｙｓによって形成される。線１０ｘはまた、青色のマイクロスクリプトによって形成されることができ、線１０ｙは黄色のマイクロスクリプトによって形成されることができる。図示された実施形態において、半透明な青色の線１０ｘは、マイクロスクリプトに描画され、線に連続して並んで配置される名前「Ｐｅｔｅｒ  Ｍｕｅｌｌｅｒ」を含むことになっており、半透明な黄色の線１０ｙは、線のマイクロスクリプトに並んで配置される日付「２０．４．２０００」または任意の他の個人データを含むことになっている。線１０ｘおよび１０ｙの外側の領域におけるレーザ感光層４ａの領域は、図示された実施形態においてレーザにより誘起される処理によって完全に脱色されるが、適切な特定のレーザ処理によって、線構造とは別の色で半透明の陰影で目に付きやすくてもよい。
【００７０】
図１９に示される実施形態において、図１８の例とは異なり、導入される基本的な開始点は、色の陰影のついた透明、たとえば緑色の透明であるレーザ感光層である。スクリプトまたは文字列は、レーザにより誘起される色変化によってレーザ感光層４ａに形成される。スクリプトは、青色成分および黄色成分を含む。
【００７１】
図２０ａ〜図２０ｄの実施形態は、レーザ感光層４が基体に面する回折構造５ｂの側に配置され、回折構造がレーザにより誘起されるマーキング１０ｘ、１０ｙの上を覆う点で、図１８ａ〜図１８ｄの実施形態に対する変形である。その他の点では、図２０ａ〜図２０ｄのこの実施形態は、図１８ａ〜図１８ｄの実施形態に対応している。
【００７２】
図２１ａ〜図２１ｄに示される実施形態において、ここで導入される基本的な開始点は、レーザ感光層４ａが領域４ａにおいて多少覆われる緑色の性質または別の色である。その下の領域において、背景層５は、互いに離隔される個別の領域を備える反射層を有し、回折パターン５ｂを有する。交互に互いに離隔される正方形領域１０ｘおよび１０ｙの形態の個別のマーキングが、レーザ感光層４ａにおける正確な位置関係のレーザ照射によって形成される。異なる条件を有する適切なレーザ処理により、領域１０ｘが青色、好ましくはシアン色であり、領域１０ｙが黄色であるように形成する。領域１０ｘ、１０ｙの周囲の領域は、レーザ処理されず、原色、すなわちたとえば緑色が残る。レーザビームの位置的に正確な誘導によって、回折領域に対して正確な位置関係に領域１０ｘ、１０ｙを形成することが可能である。領域１０ｘ、１０ｙは多少透明であるため、回折構造５ｂにおける光の回折に応じて、可能な重ね合わせた色および入射光の波長依存性の反射に基づいて、色の作用または虹色の効果が生じる。背景層５がレーザにより誘起される領域１０ｘ、１０ｙと正確に合った関係で配置される別の回折構造５ｂおよび金属的なミラーリングのように見える領域を有することによって、この構造は、レーザ照射手順によって着色される表面と連動して、照射角および見る角度に基づいて変化する画像模様を生じる。
【００７３】
図２１に示される実施形態の具体的な構造において、金属層は、隔てられた個別領域５ｒにのみ反射層の形態であり、残る領域の全体は格子構造の形態であるように形成されることができる。レーザ感光層は、交互の領域１０ｘ、１０ｙが異なるように脱色される、すなわち異なる色が生じるように、レーザ作用によって照射されることができる。レーザにより誘起されるカラーマーキングを形成するこれらの領域１０ｘ、１０ｙは、層の平面に垂直な関係にある方向に見た場合、反射領域５ｒの上に整列して配置されるように配置されることができる。そのような状況において、変化する光学的効果が、それぞれの照射角および見る角度に応じて生じる。
【００７４】
図２２ａ〜図２２ｂに示される変形実施形態において、円形領域１０ｘ、１０ｙは、レーザ感受性の脱色によってレーザ感光層４に異なる色で交互の順序で形成される。層の平面に対して垂直な方向に見た場合、円形領域は、平面図においてこれも円形態の外形である回折領域５ｂの上に整列した正確な位置関係に配置される。回折領域は、レーザ感光層４の下、好ましくは直下に配置される反射層に設けられる。図２３ａ〜図２３ｄの実施形態は、円形反射領域５ｒが回折構造５ｂに配置され、レーザにより誘起されるこれも円形態の色領域１０ｘ、１０ｙが反射領域５ｒの上方に正確な位置関係で配置される限りにおいて、図２２ａ〜図２２ｄの実施形態に対して変形される。
【００７５】
図２４ａ〜図２４ｄに示される実施形態において、導入される基本的な開始点は、部分的に透明な反射層５がレーザ感光層４の上に配置されるフィルムである。レーザ感光層４は、領域４ａにおいてたとえば緑色または別の色で多少覆われている。反射層５は、領域的な様態で回折構造５ｂを有し、高いに離隔される個別の領域５ｒにおいて反射層５は回折構造のない平坦な層の形態である。反射層５は、蒸着によってレーザ感光層４に直に塗布される。回折構造５ｂは反射層およびレーザ感光層４に設けられ、レーザ感光層４の中に延在する。
【００７６】
正確な位置関係で誘導されるレーザヘッドを用いた平坦な反射領域５ｒの領域のみにおける反射層５を通したレーザ照射によって、交互に互いに離隔される正方形態の領域１０ｘおよび１０ｙの形態の個別のマーキングが、その下に配置されるレーザ感光層４に正確な位置関係で形成される。図２４におけるこの実施形態において、正方形態の領域１０ｘおよび１０ｙの形態のそのようなレーザにより誘起されるマーキングはそれぞれ、そのサイズおよび反射層５の平坦な反射領域５ｒの下の位置に関して正確に整列され、正確に合った関係に配置される。異なる条件下の適切なレーザ処理により、領域１０ｘおよび１０ｙは異なる色であり、たとえば領域１０ｘはシアン色であり、領域１０ｙは黄色であるように形成される。領域１０ｘ、１０ｙの周囲の領域は、レーザ処理されず、原色、すなわちたとえば緑色が残る。
【００７７】
領域１０ｘ、１０ｙの異なる色と協働する回折構造５ｂにおける光の回折は、照射の種類、照射角および見る角度に基づく虹色の効果を生じる。その点において、それぞれ変化する画像模様が形成される。回折画像またはレーザにより誘起されるカラー画像は、たとえばフィルムの傾斜移動において、交互に見ることができるようになり、照射角および／または見る角度は、図２５ａおよび図２５ｂに概略的に示されるように、光源に基づいて変化する。図２５ｂの位置では、表面５ｒは着色しているように見え、回折構造は効果的ではない。図２５ａの位置では、コントラストで、回折画像が可視であり、カラー表面に少なくとも部分的に重なっている。図２６ａ〜図２６ｄの実施形態は、回折領域５ｂがレーザ感光層４の上に配置される反射層５ｒに形成され、レーザにより誘起される領域１０ｘ、１０ｙが回折領域５ｂの下に正確な位置関係で形成され、互いに関連する回折領域５ｂおよびレーザにより誘起される領域１０ｘ、１０ｙが、同一の矩形態のベース領域のそれぞれである限りにおいて、図２４ａ〜図２４ｄの実施形態に対して変形される。
【００７８】
図２７に示される実施形態において、層４のレーザ感光材料は、区切られた領域、外形が矩形態の領域に配置される。層４は、領域４ａの外側では透明であるため、背景層の当該領域に形成される印刷画像５ｄを見ることができる。印刷画像５ｄは、多層フィルムの個別の背景層に形成されることができるが、基体表面に直に形成されることもできる。印刷画像５ｄは、単語画像「Ｂａｎｋ  ｖｏｎ  Ｉｓｌａｎｄ」および単語画像「Ｐａｓｓ−Ｎｒ．」である。後者の画像は、印刷されるか、単なる架空線、すなわち仮想に過ぎない２本の平行な位置合せ線５ｄｆの間に正確に合った関係で配置される。
【００７９】
正確な位置関係で質量ゼロのレーザビームを誘導することによって、選択的な脱色または選択的な色変化によって、レーザ感受領域４ａにおける印刷画像５ｄに対してμｍの範囲の精度の銘刻を続けることが可能である。したがって、レーザ感受領域４ａの両側に配置されるか、または仮想の位置合せ線として仮想的のみ存在する印刷画像の２本の位置合せ線５ｄｆが、レーザにより誘起される位置合せ線１０ｆの形態で領域４ａに続くようにマーキングが形成される。正確に合った関係の線１０ｆの間に、図示された実施形態において、数字「５  ７  ６  ４  ９  ３  ７」の順序で対応するレーザにより誘起される銘刻１０ｘ、１０ｙが形成される。そのような状況において、個々の数字１０ｘ、１０ｙは異なる色であってもよく、たとえば数字の種々の領域における異なる色変化または異なる脱色によって、またはそこを通して見えることが可能である基礎を成す印刷画像に関して対応する構造によって、色構造またはパターンをそれぞれ含んでもよい。個別の数字１０ｘ、１０ｙはまた、マイクロスクリプトの性質であってもよい。それは、偽造に対する高度の保護手段を実現する。
【００８０】
図２８に示される実施形態は、図２７の実施形態に対する変形を含み、偽造防止保護手段を強化するために、回折構造５ｂがレーザ感光層４ａの上に配置される。たとえば、区切られた領域が蒸着によってそこに形成される反射層または図２８に示される実施形態の表面全体を覆う反射層において、レーザ感光層に直に配置する回折構造を形成することができる。図示された実施形態において、当該反射層は、レーザ感受領域４ａの上に嵌め込まれる領域にのみある回折構造の形態であり、回折構造はまた透明である。レーザ処理は、反射層または回折構造５ｂを通してレーザ照射によって行われる。その場合には、図２７の実施形態と同様の様態で、レーザにより誘起されるマーキングが、正確に合った関係に形成される。強化された偽造防止保護手段は、図２８の実施形態において、回折構造がレーザにより誘起されるマーキングの上に配置されることによって実現され、回折構造がマーキングを有する問題の層に直に接合される。
【００８１】
図２９ａおよび図２９ｂの実施形態は、正確に合った関係でレーザにより誘起される色表面と回折領域の関連とを含み、この実施形態は、レーザにより誘起される画像１０ｙとして、レーザにより誘起される手順によって形成されるフルカラーの顔写真画像を有する。レーザにより誘起される画像は、レーザ感光層４に形成される。組み紐飾り模様の形態であり、レーザにより誘起されるカラー組み紐飾り模様１０ｘとそれぞれ隣接することによって正確に合った関係で重なる回折要素５ｂが設けられる。回折組み紐飾り模様５ｂおよびレーザにより誘起されるカラー組み紐飾り模様１０ｘの形態で交互に互いに隣接するアーチ状の領域を含むそのような構造が、レーザにより誘起される顔写真画像１０ｙの周囲の閉じた円の形態で配置される。曲がりくねった線の形態である回折組み紐飾り模様５ｂがさらに、レーザにより誘起されるカラー画像１０ｙの縁領域に設けられ、レーザにより誘起される画像１０ｙの上に部分的な様態で延在する。
【００８２】
図２９ａおよび図２９ｂの実施形態の層構造は、図２８の実施形態と類似である。回折構造要素５ｂは、レーザにより誘起される画像１０ｙおよびレーザにより誘起される組み紐飾り模様１０ｘが配置されるレーザ感光層の上に配置される。要素５ｂは、残る領域において反射層５ｒを形成する層に配置されることが好ましいが、レーザ感光層４ａのみに直に形成されてもよい。
【００８３】
レーザにより誘起されるフルカラー画像１０ｙおよびカラー組み紐飾り模様１０ｘを形成するためのレーザ処理は、上述の実施形態と対応する様態において実行される。
【００８４】
図３０に示される実施形態は、図２９に示される実施形態に対して変形される実施形態を含む。フルカラー画像の形態であるレーザにより誘起される顔写真画像１０ｙも有する。しかし、図３０に示される実施形態において、レーザにより誘起されるおよび回折組み紐飾り模様の代わりに、従来のセキュリティスタンプまたはシールの様態において、一方の半分がレーザにより誘起されるカラー画像１０ｙの個別の辺領域に関与し、他方の半分がレーザにより誘起される画像１０ｙの周囲の領域に関与するように、平面図において星形状の構造である回折要素５ｂがレーザにより誘起される顔写真画像１０ｙの４辺に配置される。図３０の実施形態の層構造は、図２９ａおよび図２９ｂの実施形態の層構造に対応する構造であってもよい。基体に塗布されるフィルム、好ましくは転写フィルムによって、層構造を形成することができ、いずれの場合も、その中に形成されるレーザにより誘起される顔写真画像１０ｙを有するレーザ感光層が基体に面する側に配置され、回折要素５ｂがレーザ感光層において基体に面する側に配置され、レーザにより誘起される画像１０ｙの上に関与して判読的でないようにしている。図２９および図３０の実施形態は、個別に設定される識別表示を含みうる。図３０の実施形態において、名前「Ｔａｍａｒａ  Ｔｅｓｔｆｒａｕ」はまた、レーザにより誘起される顔写真画像１０ｙの下の書名として、好ましくは多層の性質を有するレーザにより誘起されるマーキングの形態である。偽造防止保護手段の様態を強化するために、スクリプトは、マイクロスクリプトであってもよい。
【００８５】
図３１ａおよび図３１ｂの実施形態は、図２９および図３０の実施形態に対して変形される実施形態である。この実施形態はキャリアを含み、キャリアは基体を形成し、図３１ｂの断面図から分かるように、レーザ感光層４および上部保護層３を含むだけであり、基体面への接合を表す接着層６を有する箔押しフィルムが塗布される紙材料である。図２９および図３０と同様であるフルカラー画像は、レーザにより誘起される画像としてレーザ感光層４に形成される。しかし、前述の実施形態と異なり、背景層５は、箔押しフィルムの層構造に形成されない。正確に言えば、背景層は、個別のコーティング３１５の形態または基体８の一体構成要素部分の形態で、基体８の表面上に形成される。これは、レーザにより誘起される画像１０ｙを通してそれぞれが見える種々の識別表示、さらに具体的に言えば、セキュリティ印刷３１５ｄを伴う。セキュリティ印刷３１５ｄは、たとえば組み紐飾り模様などであってもよく、たとえば紫外光の下で蛍光を発することができ、日光の下では見ることができないか、黒い線として見えるだけである蛍光線３１６であってもよい。透かし３１５ｗはまた、紙材料を含むことが好ましいキャリア８に形成される。また、セキュリティ用のストリップ３１０が、キャリア８に配置される。セキュリティ用のストリップ３１０は、レーザにより誘起される画像１０ｙを通過し、それを越えてレーザにより誘起される画像成分１０ｙが形成されていない領域に延在する。図示された実施形態において、レーザにより誘起される画像１０ｙは、平面図において矩形であり、キャリア８の表面の一部のみに配置される。レーザ感光層４を有するキャリアフィルムはまた、当該の区切られた領域にのみ形成されることが好ましい。図３１ａから分かるように、レーザにより誘起される画像１０ｙの矩形領域は透明、すなわちレーザ感光層の特定の領域がレーザ処理によって脱色され、カラー画像成分が色の陰影において透明であり、カラーマーキングの周囲の領域は完全に透明な様態に脱色されるようになっている。それは、基体上の識別表示３１５がレーザにより誘起される画像１０ｙを通して見ることができるという利点を生じる。これは、特に高度の偽造防止保護手段を生じる。
【００８６】
図３２に示される実施形態は、図３１ａおよび図３１ｂの実施形態に対して変形される。そのような実施形態とは異なり、図３２では背景層５が、レーザにより誘起される画像１０ｙの領域に形成される。そのような背景層５は、転写フィルムの構成要素部分である。したがって、図３１ｂに示されるフィルムとは異なり、図３２のこの実施形態は、構造の観点から図１に示されるフィルムに対応するフィルムを用いる。背景層５は、層８に面するフィルムの側に形成されるため、フィルムがレーザ感光層またはレーザにより誘起される画像成分と基体表面との間で、基体に塗布されるときに配置される。この領域において、背景層５は、きわめて明確に識別可能であり、レーザにより誘起される画像の形成手順において、基体またはその下に配置される層に損傷を与えることがない。背景層５は、画像形成手順において作用するレーザ放射に対して反射性であり、レーザ放射の非反射成分に対して実質的に不透明で吸収性である。そのようにして、レーザにより誘起される画像１０ｙを形成するためのレーザ照射動作において、基体および背景に損傷または他の望ましくないレーザにより誘起される変化が生じないようにする。背景層５の反射および特に明るい物質の添加によって、レーザにより誘起される画像成分の色作用が高められ、色が明るくなることが好ましい。
【００８７】
図３３に示される実施形態は、図３１および図３２の実施形態に対する変形である。この実施形態において、図３３において、背景層５がレーザにより誘起されるカラー画像１０ｙの左半分のみに形成され、基体８上の識別表示３１５は、背景層５が形成される左半分の上に覆われ、見ることができないようになっている。背景層５は、レーザにより誘起される画像１０ｙの残る領域には配置されないため、当該領域において、基体の表面および識別表示３１５は、色の陰影のついた透明のレーザにより誘起されるカラー画像を通して見ることができる。この実施形態は、レーザにより誘起される画像１０ｙが特に可変の様態で、他の識別表示要素と光学的に協働するため、特に高度の偽造防止保護手段を生じる。
【００８８】
変形実施形態において、レーザ感光層４はまた、レーザ光の下で黒くなりうるだけである層の形態、たとえば、炭素またはカーボンブラックドープ層の形態であってもよい。この層は、特に波長１０６４ｎｍのＮＤ：ＹＡＧレーザ放射によるレーザ放射の影響を受けて炭化されうる。したがって、照射手順におけるレーザ出力であることが好ましいレーザ条件を適切に変化させる場合には、これによりグレースケール画像を形成することができる。
【００８９】
図３４は、カード構造の分解立体図を示している。これは、種々のオーバレイフィルム３０、３２およびインレット９０上に積層される本体を含む。インレット９０は、紙材料を含むことができれば好ましいが、プラスチック材料を含んでもよい。炭素またはカーボンブラックを用いてドープされるオーバレイフィルム３２が、上部インレット９０に配置され、その上にオーバレイフィルム３０が塗布される。そのようなオーバレイフィルム３０は、構造において図１０に示されるラミネートフィルムに対応する。このフィルムは、キャリアフィルム３０を有し、その下側に中間層５ｃおよび反射層５ｒおよびレーザ感光層４を有する転写フィルム、好ましくは箔押しフィルムが塗布される。回折構造および／またはホログラム構造５ｂが、反射層５ｒおよびレーザ感光層４に形成される。図３３に対する変形（図示せず）において、レーザ感光層４とドープされるオーバレイフィルム３２との間に、別個のオーバレイフィルムまたはラミネートフィルム３０の下部の別の層として、別の背景層５を形成することができる。さらに、また、別個のオーバレイフィルムまたはドープされるオーバレイフィルム３２またはインレット９０の層として、ドープされるオーバレイフィルム３２とインレット９０との間にそのような背景層５を形成することもできる。そのような背景層５は、レーザにより誘起される画像形成手順において、その上に配置される層に作用するレーザ放射を反射し、および／または非反射成分を吸収するか、またはいずれの場合も基礎を成す層に含まれないようにしてもよい。また、背景層５は、レーザにより誘起される画像成分がその上に配置されるレーザ感光層に形成される部分に配置されるだけであるように形成されてもよい。
【００９０】
図３３に示される実施形態において、レーザ感光層４におけるレーザ感光材料は、上述の実施形態に記載される様態において、レーザの作用の下で脱色または色変化を生じる着色剤を含むことができるため、レーザにより誘起される画像は、当該層においてカラー画像の形態であってもよい。たとえば波長１０６４ｎｍのＮＤ：ＹＡＧレーザ放射を用いた適切なレーザ処理において、炭素またはカーボンブラックがドープされ、オーバレイフィルム３２において、レーザにより誘起される画像としてグレースケール画像を形成することができる。
【図面の簡単な説明】
【００９１】
【図１】レーザ処理によって多層画像を形成することができる感光層を有する種々の箔押しフィルムの断面図を示している。
【図２】レーザ処理によって多層画像を形成することができる感光層を有する種々の箔押しフィルムの断面図を示している。
【図３】レーザ処理によって多層画像を形成することができる感光層を有する種々の箔押しフィルムの断面図を示している。
【図４】レーザ処理によって多層画像を形成することができる感光層を有する種々の箔押しフィルムの断面図を示している。
【図５】レーザ処理によって多層画像を形成することができる感光層を有する種々の箔押しフィルムの断面図を示している。
【図５ａ】レーザ処理によって多層画像を形成することができる感光層を有する種々の箔押しフィルムの断面図を示している。
【図５ｂ】レーザ処理によって多層画像を形成することができる感光層を有する種々の箔押しフィルムの断面図を示している。
【図６】レーザ処理によって多層画像を形成することができるレーザ感光層を有する種々のラミネートフィルムの断面図を示している。
【図７】レーザ処理によって多層画像を形成することができるレーザ感光層を有する種々のラミネートフィルムの断面図を示している。
【図８】レーザ処理によって多層画像を形成することができるレーザ感光層を有する種々のラミネートフィルムの断面図を示している。
【図９】レーザ処理によって多層画像を形成することができるレーザ感光層を有する種々のラミネートフィルムの断面図を示している。
【図９ａ】レーザ処理によって多層画像を形成することができるレーザ感光層を有する種々のラミネートフィルムの断面図を示している。
【図１０】レーザ処理によって多層画像を形成することができるレーザ感光層を有する種々のラミネートフィルムの断面図を示している。
【図１０ａ】レーザ処理によって多層画像を形成することができるレーザ感光層を有する種々のラミネートフィルムの断面図を示している。
【図１０ｂ】レーザ処理によって多層画像を形成することができるレーザ感光層を有する種々のラミネートフィルムの断面図を示している。
【図１１ａ】レーザ処理によって形成される多層画像の第１の実施形態の斜視図を示しており、レーザ処理前のレーザ感光層および背景層の領域の構造を示している。
【図１１ｂ】レーザ処理によって形成される多層画像の第１の実施形態の断面図を示しており、レーザ処理前のレーザ感光層および背景層の領域の構造を示している。
【図１１ｃ】レーザ処理によって形成される多層画像の第１の実施形態の斜視図を示しており、レーザ処理後のレーザ感光層および背景層の領域の構造を示している。
【図１１ｄ】レーザ処理によって形成される多層画像の第１の実施形態の断面図を示しており、レーザ処理後のレーザ感光層および背景層の領域の構造を示している。
【図１２】多層画像の第２の実施形態の平面図を示している。
【図１３ａ】レーザ処理によって形成される多層画像の第３の実施形態の斜視図を示しており、レーザ処理前のレーザ感光層および背景層の領域の構造を示している。
【図１３ｂ】レーザ処理によって形成される多層画像の第３の実施形態の断面図を示しており、レーザ処理前のレーザ感光層および背景層の領域の構造を示している。
【図１３ｃ】レーザ処理によって形成される多層画像の第３の実施形態の斜視図を示しており、レーザ処理後のレーザ感光層および背景層の領域の構造を示している。
【図１３ｄ】レーザ処理によって形成される多層画像の第３の実施形態の断面図を示しており、レーザ処理後のレーザ感光層および背景層の領域の構造を示している。
【図１４】レーザ処理によって形成される多層画像の第４の実施形態の斜視図を示しており、レーザ処理前のレーザ感光層および背景層の領域の構造を示している。
【図１５ａ】レーザ処理によって形成される多層画像の第５の実施形態の斜視図を示しており、レーザ処理前のレーザ感光層および背景層の領域の構造を示している。
【図１５ｂ】レーザ処理によって形成される多層画像の第５の実施形態の断面図を示しており、レーザ処理前のレーザ感光層および背景層の領域の構造を示している。
【図１５ｃ】レーザ処理によって形成される多層画像の第５の実施形態の斜視図を示しており、レーザ処理後のレーザ感光層および背景層の領域の構造を示している。
【図１５ｄ】レーザ処理によって形成される多層画像の第５の実施形態の断面図を示しており、レーザ処理後のレーザ感光層および背景層の領域の構造を示している。
【図１６ａ】レーザ処理によって形成される多層画像の第６の実施形態の斜視図を示しており、レーザ処理前のレーザ感光層および背景層の領域の構造を示している。
【図１６ｂ】レーザ処理によって形成される多層画像の第６の実施形態の断面図を示しており、レーザ処理前のレーザ感光層および背景層の領域の構造を示している。
【図１６ｃ】レーザ処理によって形成される多層画像の第６の実施形態の斜視図を示しており、レーザ処理後のレーザ感光層および背景層の領域の構造を示している。
【図１６ｄ】レーザ処理によって形成される多層画像の第６の実施形態の断面図を示しており、レーザ処理後のレーザ感光層および背景層の領域の構造を示している。
【図１７ａ】レーザ処理によって形成される多層画像の第７の実施形態の斜視図を示しており、レーザ処理前のレーザ感光層および背景層の領域の構造を示している。
【図１７ｂ】レーザ処理によって形成される多層画像の第７の実施形態の断面図を示しており、レーザ処理前のレーザ感光層および背景層の領域の構造を示している。
【図１７ｃ】レーザ処理によって形成される多層画像の第７の実施形態の斜視図を示しており、レーザ処理後のレーザ感光層および背景層の領域の構造を示している。
【図１７ｄ】レーザ処理によって形成される多層画像の第７の実施形態の断面図を示しており、レーザ処理後のレーザ感光層および背景層の領域の構造を示している。
【図１８ａ】レーザ処理によって形成される多層画像の第８の実施形態の斜視図を示しており、レーザ処理前のレーザ感光層および背景層の領域の構造を示している。
【図１８ｂ】レーザ処理によって形成される多層画像の第８の実施形態の断面図を示しており、レーザ処理前のレーザ感光層および背景層の領域の構造を示している。
【図１８ｃ】レーザ処理によって形成される多層画像の第８の実施形態の斜視図を示しており、レーザ処理後のレーザ感光層および背景層の領域の構造を示している。
【図１８ｄ】レーザ処理によって形成される多層画像の第８の実施形態の断面図を示しており、レーザ処理後のレーザ感光層および背景層の領域の構造を示している。
【図１９ａ】レーザ処理によって形成される多層画像の第９の実施形態の斜視図を示しており、レーザ処理前のレーザ感光層および背景層の領域の構造を示している。
【図１９ｂ】レーザ処理によって形成される多層画像の第９の実施形態の断面図を示しており、レーザ処理前のレーザ感光層および背景層の領域の構造を示している。
【図１９ｃ】レーザ処理によって形成される多層画像の第９の実施形態の斜視図を示しており、レーザ処理後のレーザ感光層および背景層の領域の構造を示している。
【図１９ｄ】レーザ処理によって形成される多層画像の第９の実施形態の断面図を示しており、レーザ処理後のレーザ感光層および背景層の領域の構造を示している。
【図２０ａ】レーザ処理によって形成される多層画像の第１０の実施形態の斜視図を示しており、レーザ処理前のレーザ感光層および背景層の領域の構造を示している。
【図２０ｂ】レーザ処理によって形成される多層画像の第１０の実施形態の断面図を示しており、レーザ処理前のレーザ感光層および背景層の領域の構造を示している。
【図２０ｃ】レーザ処理によって形成される多層画像の第１０の実施形態の斜視図を示しており、レーザ処理後のレーザ感光層および背景層の領域の構造を示している。
【図２０ｄ】レーザ処理によって形成される多層画像の第１０の実施形態の断面図を示しており、レーザ処理後のレーザ感光層および背景層の領域の構造を示している。
【図２１ａ】レーザ処理によって形成される多層画像の第１１の実施形態の斜視図を示しており、レーザ処理前のレーザ感光層および背景層の領域の構造を示している。
【図２１ｂ】レーザ処理によって形成される多層画像の第１１の実施形態の断面図を示しており、レーザ処理前のレーザ感光層および背景層の領域の構造を示している。
【図２１ｃ】レーザ処理によって形成される多層画像の第１１の実施形態の斜視図を示しており、レーザ処理後のレーザ感光層および背景層の領域の構造を示している。
【図２１ｄ】レーザ処理によって形成される多層画像の第１１の実施形態の断面図を示しており、レーザ処理後のレーザ感光層および背景層の領域の構造を示している。
【図２２ａ】レーザ処理によって形成される多層画像の第１２の実施形態の斜視図を示しており、レーザ処理前のレーザ感光層および背景層の領域の構造を示している。
【図２２ｂ】レーザ処理によって形成される多層画像の第１２の実施形態の断面図を示しており、レーザ処理前のレーザ感光層および背景層の領域の構造を示している。
【図２２ｃ】レーザ処理によって形成される多層画像の第１２の実施形態の斜視図を示しており、レーザ処理後のレーザ感光層および背景層の領域の構造を示している。
【図２２ｄ】レーザ処理によって形成される多層画像の第１２の実施形態の断面図を示しており、レーザ処理後のレーザ感光層および背景層の領域の構造を示している。
【図２３ａ】レーザ処理によって形成される多層画像の第１３の実施形態の斜視図を示しており、レーザ処理前のレーザ感光層および背景層の領域の構造を示している。ｃ
【図２３ｂ】レーザ処理によって形成される多層画像の第１３の実施形態の斜視図を示しており、レーザ処理前のレーザ感光層および背景層の領域の構造を示している。
【図２３ｃ】レーザ処理によって形成される多層画像の第１３の実施形態の斜視図を示しており、レーザ処理後のレーザ感光層および背景層の領域の構造を示している。
【図２３ｄ】レーザ処理によって形成される多層画像の第１３の実施形態の断面図を示しており、レーザ処理後のレーザ感光層および背景層の領域の構造を示している。
【図２４ａ】レーザ処理によって形成される多層画像の第１４の実施形態の斜視図を示しており、レーザ処理前のレーザ感光層および背景層の領域の構造を示している。
【図２４ｂ】レーザ処理によって形成される多層画像の第１４の実施形態の斜視図を示しており、レーザ処理前のレーザ感光層および背景層の領域の構造を示している。
【図２４ｃ】レーザ処理によって形成される多層画像の第１４の実施形態の斜視図を示しており、レーザ処理後のレーザ感光層および背景層の領域の構造を示している。
【図２４ｄ】レーザ処理によって形成される多層画像の第１４の実施形態の断面図を示しており、レーザ処理後のレーザ感光層および背景層の領域の構造を示している。
【図２５ａ】図２４の実施形態の平面図を示している。
【図２５ｂ】図２４の実施形態の平面図を示している。
【図２６ａ】第１５の実施形態の図１３に対応する斜視図を示している。
【図２６ｂ】第１５の実施形態の図１３に対応する斜視図を示している。
【図２６ｃ】第１５の実施形態の図１３に対応する斜視図を示している。
【図２６ｄ】第１５の実施形態の図１３に対応する斜視図を示している。
【図２７】多層画像の別の実施形態の平面図を示している。
【図２８】多層画像の別の実施形態の平面図を示している。
【図２９】多層画像の別の実施形態の平面図を示している。
【図３０】多層画像の別の実施形態の平面図を示している。
【図３１】多層画像の別の実施形態の平面図を示している。
【図３２】多層画像の別の実施形態の平面図を示している。
【図３３】多層画像の別の実施形態の平面図を示している。
【図３４】オーバレイフィルムおよび２層のレーザ感光層を備えたインレットから積層されるカードの分解立体図を示している。
【図１】
2005530186.tif 000008
【図２】
2005530186.tif 000009
【図３】
2005530186.tif 000010
【図４】
2005530186.tif 000011
【図５】
2005530186.tif 000012
2005530186.tif 000013
2005530186.tif 000014
【図６】
2005530186.tif 000015
【図７】
2005530186.tif 000016
【図８】
2005530186.tif 000017
【図９】
2005530186.tif 000018
2005530186.tif 000019
【図１０】
2005530186.tif 000020
2005530186.tif 000021
2005530186.tif 000022
2005530186.tif 000023
【図１２】
2005530186.tif 000024
2005530186.tif 000025
【図１４】
2005530186.tif 000026
2005530186.tif 000027
2005530186.tif 000028
2005530186.tif 000029
2005530186.tif 000030
2005530186.tif 000031
2005530186.tif 000032
2005530186.tif 000033
2005530186.tif 000034
2005530186.tif 000035
2005530186.tif 000036
2005530186.tif 000037
2005530186.tif 000038
【図２７】
2005530186.tif 000039
【図２８】
2005530186.tif 000040
2005530186.tif 000041
【図３０】
2005530186.tif 000042
2005530186.tif 000043
2005530186.tif 000044
【図３２】
2005530186.tif 000045
【図３３】
2005530186.tif 000046
【図３４】
2005530186.tif 000047
【手続補正書】
【提出日】平成17年5月6日(2005.5.6)
【手続補正１】
【補正対象書類名】特許請求の範囲
【補正対象項目名】全文
【補正方法】変更
【補正の内容】
【特許請求の範囲】
【請求項１】
基体と、転写フィルム、またはラミネートフィルムを用いて、その上に塗布される単層の層構造または多層の層構造とを具備する多層画像であって、
前記層構造が、レーザ感光材料を有し、かつ少なくとも１つのレーザにより誘起される画像成分の形成と共にレーザの作用によって少なくとも領域に関して変化されるレーザ感光層を有し、前記多層画像または該多層画像の少なくとも一部が前記レーザにより誘起される画像成分および背景層および／または前景層から形成され、前記レーザにより誘起される画像成分が、前記背景層と少なくとも部分的に重なる関係に配置されるか、または前記前景層と少なくとも部分的に重なる関係に配置されるため、前記背景層または前記レーザにより誘起される画像成分がそれぞれ、領域に関する限り、上から見ることができるか、および／または多少半透明で見ることができる多層画像において、
前記レーザ感光材料が、種々のレーザ感受成分の混合物の形態であり、
前記混合物が、少なくとも２種類の異なる着色剤成分から構成され、前記少なくとも２種類の成分のそれぞれが、前記成分に特定の個別のレーザ条件下でレーザによって脱色可能であることと、および／または前記混合物が少なくとも２色の異なる色形成成分から構成され、前記成分のそれぞれが、前記成分に特定の個別のレーザ条件下で、レーザによって色が可変となることを特徴とする多層画像。
【請求項２】
前記基体が紙材料を有してなることを特徴とする、請求項１記載の多層画像。
【請求項３】
前記転写フィルムが箔押しフィルムであることを特徴とする、請求項１または２記載の多層画像。
【請求項４】
前記混合物が３種類の異なる着色剤成分から構成され、前記成分のそれぞれが前記成分に特定の個別のレーザ条件下でレーザによって脱色可能であることを特徴とする、請求項１〜３のいずれか１項記載の多層画像。
【請求項５】
前記混合物が３色の異なる色形成成分から構成され、前記成分のそれぞれが、前記成分に特定の個別のレーザ条件下で、レーザによって色が可変となることを特徴とする、請求項１〜４のいずれか１項記載の多層画像。
【請求項６】
前記背景層が、好ましくは前記背景層の形態である前記基体表面によって、前記基体の成分の形態であることを特徴とする、請求項１〜５のいずれか１項記載の多層画像。
【請求項７】
複数のレーザ感光層が、互いに重なる関係に配置される種々のレーザ感光材料を含むことが好ましいことを特徴とする、請求項１〜６のいずれか１項記載の多層画像。
【請求項８】
中間層を形成する背景層が、互いに重なるレーザ感光層の間に配置されることを特徴とする、請求項７記載の多層画像。
【請求項９】
前記背景層が、好ましくは前記レーザにより誘起される画像成分の下の領域に限り、前記レーザ感光層の下に配置されることを特徴とする、請求項１〜８のいずれか１項記載の多層画像。
【請求項１０】
前記背景層が、レーザにより誘起される画像成分の形成のために用いられるレーザ放射に関して反射性であり、および／またはレーザ放射の非反射成分に関して非透明または実質的に非透明および／または吸収性である背景層の形態であることを特徴とする、請求項１〜９のいずれか１項記載の多層画像。
【請求項１１】
前記背景層が、可視スペクトル領域の光に関して透明であり、および／または特に所与の波長範囲に限る所与のレーザ条件のみのレーザ放射に関して透明または非透明であり、レーザにより誘起される画像成分を形成するために用いられるレーザ放射に関して透明または非透明であることが好ましいことを特徴とする、請求項１〜１０のいずれか１項記載の多層画像。
【請求項１２】
前記レーザにより誘起される画像成分が、異なる色を有し、および／または前記レーザにより誘起される画像成分および前記背景層または前景層が着色されるか、および／または光学構造に関して異なることを特徴とする、請求項１〜１１のいずれか１項記載の多層画像。
【請求項１３】
前記レーザにより誘起される画像成分が、無色透明または色の陰影のついた透明であるマーキングの形態またはグレースケールにおいて陰影のついた透明であることが好ましい黒色のマーキングの形態または非透明のカラーおよび／または黒色および／またはグレースケールを用いたマーキングの形態であることを特徴とする、請求項１〜１２のいずれか１項記載の多層画像。
【請求項１４】
別のレーザにより誘起される画像成分またはレーザによって処理されないか、または非レーザ感受領域である前記レーザ感光層の領域が、前記レーザにより誘起される画像成分の近くの隣接する関係に配置され、同一のレーザ感光層において同成分に隣接することが好ましいことを特徴とする請求項１〜１３のいずれか１項記載の多層画像であって、
前記隣接領域が無色透明または色の陰影のついた透明または非透明であるように形成されることが好ましい、多層画像。
【請求項１５】
前記背景層および／または前記前景層に形成される画像成分が、前記レーザにより誘起される画像成分の近くの隣接する関係に形成され、同成分に隣接することが好ましいことを特徴とする、請求項１〜１４のいずれか１項記載の多層画像。
【請求項１６】
前記レーザにより誘起される画像成分が、前記背景層または前記前景層の中および／または前記背景層または前記前景層によって形成される関連画像成分と正確に合った関係で配置されることを特徴とする、請求項１〜１５のいずれか１項記載の多層画像。
【請求項１７】
前記レーザにより誘起される画像成分が、無色または色の陰影のついた透明であり、それに関連し、好ましくは前記背景層または前記前景層においてその下またはその上に配置される層に配置される画像成分が、前記層の平面に垂直な方向において、それに対して側方向にずれた関係または整列した関係に配置されることを特徴とする、請求項１〜１６のいずれか１項記載の多層画像。
【請求項１８】
別のレーザにより誘起される画像成分および／または前記背景層および／または前記前景層によって形成される画像成分と組み合わせることが好ましい前記レーザにより誘起される画像成分が、カラーマーキングおよび／またはグラフィックおよび／または組み紐飾り模様および／またはスクリプト画像および／またはマイクロスクリプトの形態であることを特徴とする、請求項１〜１７のいずれか１項記載の多層画像。
【請求項１９】
前記レーザ感光材料が、好ましくは材料に特定のレーザ条件下で、レーザにより誘起される脱色またはレーザにより誘起される色変化および／またはレーザにより誘起される黒化および／またはレーザにより誘起される材料除去によって、レーザの作用によって変更することができる材料の形態であり、前記レーザにより誘起される画像成分が、レーザにより誘起される脱色またはレーザにより誘起される色変換またはレーザにより誘起される炭化またはレーザにより誘起される材料除去によってそれぞれ形成されることを特徴とする、請求項１〜１８のいずれか１項記載の多層画像。
【請求項２０】
２種類および好ましくは３種類の成分のそれぞれに関して、ある成分に特定のレーザ条件下で他の成分が脱色可能でないか、または実質的に脱色可能でないか、または色が変化しないことを適用することを特徴とする、請求項１〜３のいずれか１項記載の多層画像。
【請求項２１】
前記レーザ感光材料がシアン色着色剤、好ましくはシアン色顔料および／またはマゼンタ色着色剤、好ましくはマゼンタ色顔料、および／または黄色着色剤、好ましくは黄色顔料であることを特徴とする、請求項１〜２０のいずれか１項記載の多層画像。
【請求項２２】
前記レーザにより誘起される画像成分の位置および／または前記レーザ感光層の位置で、前記レーザにより誘起される画像成分または前記レーザ感光層の各位置でそれぞれ少なくとも領域的な様態であることが好ましく、前記色が、成分または複数の異なる成分の着色剤混合物、好ましくは前記着色剤混合物の種々の全成分によって形成され、混合物において当該位置で、好ましくは互いに重なる関係および／または互いに並列する関係に配置され、その点において、当該位置における前記色が好ましくは減色的混合によって形成されることを特徴とする、請求項１〜２１のいずれか１項記載の多層画像。
【請求項２３】
前記背景層および好ましくは前記レーザ感光層以外の残る他の層が、前記レーザにより誘起される画像成分を形成するためのレーザの作用下で、前記背景層が変化しないようになっていることを特徴とする、請求項１〜２２のいずれか１項記載の多層画像。
【請求項２４】
前記背景層および／または前記前景層および／または前記レーザ感光層が、少なくとも領域的な様態で特に明るい層、たとえば白色塗料層の形態である反射構造および／または金属層および／または塗料層を有することを特徴とする、請求項１〜２３のいずれか１項記載の多層画像。
【請求項２５】
前記背景層および／または前記前景層および／または前記レーザ感光層が、少なくとも領域的な様態で特に金属において、または金属層に関して、たとえば、回折格子、ホログラムなどの回折構造および／またはホログラム構造を有することを特徴とする、請求項１〜２４のいずれか１項記載の多層画像。
【請求項２６】
前記背景層および／または前記前景層が、少なくとも領域的な様態で印刷を有することを特徴とする、請求項１〜２５のいずれか１項記載の多層画像。
【請求項２７】
前記背景層が、紫外光によって蛍光を発する識別表示要素および／またはセキュリティ用の線および／または透かしを有することが好ましいことを特徴とする、請求項１〜２６のいずれか１項記載の多層画像。
【請求項２８】
前記背景層が、その範囲にわたる異なる領域に、異なる色および／または異なる構造であることが好ましい反射構造および／または回折構造および／またはホログラム構造および／または印刷を有することが好ましく、または前記背景層がその範囲にわたって一定の一体構造をなしていることを特徴とする、請求項１〜２７のいずれか１項記載の多層画像。
【請求項２９】
前記多層画像が、好ましくは色空間全体からの色を有するフルカラー画像の形態であることを特徴とする、請求項１〜２８のいずれか１項記載の多層画像。
【国際調査報告】
2005530186.tif 000048
2005530186.tif 000049
2005530186.tif 000050
2005530186.tif 000051